(57)【要約】      （修正有）【課題】どんな幅の対象物にあって、又、どんな形の対象物であっても適宜、それに対応して固定できるので、物同士の接着や、クランプクリップで固定して別の品物の作業をする場合でも、その加工性、結合性が安定する仕掛け装置を提供する。【解決手段】作用点と支点との間の空間半分を階段状、または三角形状にして、支点のバネに向かって窄めていく形状のものとすることによって、どんな対象物であっても、挟みの範囲内のものならそのほとんどを噛み合わせフィットさせる事ができるようにした。【選択図】図３
0003160293.tif 000002
【実用新案登録請求の範囲】
【請求項１】
物と物とを重ねてクランプクリップで固定する時、又、対象物にクランプクリップを固定させて作業や操作や陳列をする時、一般に汎用的なクランプクリップを使うが、先端部の掴みや挟みとの作用点と、支点に当たるバネ部との間の空間部が、対象となる物のサイズが大きい場合に合わせて広く作られているために、幅広の決まった物や幅広の物同士をを押さえ込むには効果的であるが、取り付ける対象物が幅の狭いの場合には力点である持ち手の部分は上下左右に揺れてほとんどが完全な固定に至っていない、そのために取り付ける対象物が常に変化する場合には、クランプクリップがしっかり捉える事ができない、又、振れてしまえば当然に緩み易くもなってしまう、本考案品は、上下に持ち手の力点部分が無駄に振れないように、物を挟んだり掴んだりする作用点部分と、バネのある支点の交差部分との間の形状構造を、取り付け対象物の幅の変化に適宜対応できるのを目的として、先端から空間部中央までは徐々に広がるように幅広の取り付け対象物であっても適応できる形状とし、空間部中央から支点の奥のバネに近づくに従って、物を掴むのに、先ず作用点の先端の掴みの部分で捉え、さらに奥の支点に至る部分の階段式、三角式形状でも二重に掴む事によって上下の振れに関しても最良の安定が得られ、左右の振れへの対策では、真っ直ぐ奥まで挟んだり掴んだりする目的対象物を奥の階段状や三角形状にしっかり噛み合わせる事によって、振れもなくなり、作用点の横幅が狭くても広くても安定する、しかも、滑りに抵抗の期待できる縦筋ゴムパッキンで被膜するピッタリフィットのクランプクリップの応用仕掛け装置。
【考案の詳細な説明】
【技術分野】
【０００１】挟み金物、クランプ、クリップ、建築道具、掴み金物、文具、工具、電気用具、キャンプ用品、カメラ設置部品。
【背景技術】
【０００２】物と物とを接着しようとする時、接着を完了させるまで長い時間、圧縮を加える必要性があるが、上下左右に振れてしまったりして、なかなか完全な固定を生み出すことが困難である場合が多い。【０００３】物品を挟んで、その物に加工作業等を施す時、挟んでいる対象物がしっかり固定できない場合、加工精度にバラツキがでてしまう。【０００４】クランプクリップにカメラやランプ等を取り付けて使用する時でも、取り付ける対象物が必ずしも一定の厚みを有しているものではない場合、固定が完全とは言えない時がままあり、そのためにカメラやランプの位置移動が微妙にズレたりして、作業や撮影に支障をきたす。
【考案の開示】
【考案が解決しようとする課題】
【０００５】クランプクリップの役割としては完全なる固定が望ましい、上下左右に振れたりしては、直接掴み部分の作用点がしっかりしていても、支点、力点がふら付いていたのでは、やがて何かの弾みで作用点も緩むことになってしまう。【０００６】掴む、挟む、という作用点の機能に対して相手の対象物はおのおの厚み、形状が千差万別であり、各種の違いに適合しているようには作られていない。【０００７】強力なクランプクリップ上に取り付けられた物品の使用の場合でも、クランプクリップにある程度の重量が掛かるが、その重量にも耐えられるだけの隙間の無いブレることがない固定力を必要とする。
【課題を解決するための手段】
【０００８】本考案品は、先端の掴みと挟みの作用点と支点のバネ部との間の幅広の空間部の形状での上下左右のガタ付きを失くすもので、空間部中央までは、幅広部材の対象物への対応ができるように広めに取り、空間部中央から支点のバネに向かっては、上下左右に階段状、又は三角形状を施してどのような対象物の形状であっても、範囲内であれば上下左右にブレる事なく適応できるようにする。【０００９】左右にクランプクリップが動いてしまっても緩みの原因となるが、本考案品は、更に掴み挟みの作用点と空間部の形状とにゴム製の縦筋溝のあるパッキンを対象物の傷防止と、横ズレ防止のために取り付ける。
【考案の効果】
【００１０】どんな幅の対象物にあって、又、どんな形の対象物であっても適宜、それに対応して固定できるので、物同士の接着や、クランプクリップで固定して別の品物の作業する場合でも、その加工性、結合性が安定する。
【考案を実施するための最良の形態】
【００１１】    図面の符号にあわせながら説明していく・・・・・・
クランプクリップを製作する際には、必ず対象となる物体に適合した空間部が形成されていなくてはならないが、一般的にどんな内容物に設置されるかは使用者側の判断であって、製作者側は汎用的に作らざるを得ない、が故に必ずしも最適な状態で使用されるとは言えない、本考案品は、対象物の最大限度の厚さから最小限度まで段階的に適合できるように階段状、又は、三角形状等を空間部中央の位置から奥に向かって形成するピッタリフィットのクランプクリップの応用仕掛け装置。
【図面の簡単な説明】
【００１２】
【図１】当該申請クランプクリップの階段形状嵌め構造側面図。
【図２】当該申請クランプクリップの三角形状嵌め構造側面図。
【図３】同、階段形状の嵌め状態側面図と、クランプクリップ利用のランプ取りつけ状態図。
【図４】同、Ｔ型クランプクリップの上面図。
【符号の説明】
【００１３】［図１］    １、挟み、掴み部（作用点）
２、バネ軸（支点）
３、持ち手（力点）
４、空間部
５、階段形状部
６、バネ線
［図２］    １、挟み、掴み部（作用点）
２、バネ軸（支点）
３、持ち手（力点）
４、空間部
５、三角形状部
６、バネ線
［図３］    １、挟み、掴み部（作用点）
２、バネ軸（支点）
３、持ち手（力点）
４、空間部
５、階段形状部
６、バネ線
７、仮想の接着材料
［図４］    １、挟み、掴み部（作用点）
２、バネ軸（支点）
３、持ち手（力点）
４、ゴムパッキン
【図１】
0003160293.tif 000003
【図２】
0003160293.tif 000004
【図３】
0003160293.tif 000005
【図４】
0003160293.tif 000006
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
クランプやクリップは、掴んだり、挟んだりする部分である作用点と、手や指の圧力で押し付ける力点と、左右の動作を伝え合うバネの支点で構成され、掴み部分の作用点では商品の形状によってその働きが、点圧接、線状圧接、面状圧接に作用が大別されるが、それらの作用別に関わりなく、本考案品は、力の作用点である取り付け対象物の掴みどころから、支点でもあるバネ軸の間に、必ず展開する筈の空間部の中央からバネ軸寄りに連なる左右の折り曲げ部位を階段状に、又は三角形状にカット加工をして、取り付け対象物を掴みの部分とそれらにカットした２箇所で固定をする方式を採用したクランプクリップ。
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
クランプやクリップは、掴んだり、挟んだりする掴み部分である作用点と、手や指で握って固定し圧力を掛ける力点と、左右両方の連携動作を伝え合うバネの支点で構成された物品であり、力の伝わる作用点である取り付け対象物の掴みの部分と、支点でもあるバネ軸と、前記掴みの部分と前記バネ軸の間の空間部の中央から前記バネ軸寄りに連なる左右の折り曲げ部位を有するクランプクリップにおいて、前記左右の折り曲げ部位は階段状に、又は三角形状にカット加工されているクランプクリップ。